(57)【要約】【課題】布帛の伸縮性や硬さや厚みの如何に拘わらず、布帛の所要の絞寄箇所に波形ピッチが揃って美しい波形状皺を発生させ、それをミシン糸目によって固定セットして表装布帛を立体的に美しく縫製する。【解決手段】（ａ）　布帛１３の一部を絞り寄せ、その絞寄箇所１５を線状に連続したミシン糸目１１によって他の部材に縫合する布帛の縫製過程において、（ｂ）　そのミシン糸目１１の縫付ライン１７に沿って収縮可能なテープ１４を当該布帛に当てて縫合し、（ｃ）　そのテープ１４を収縮させ、当該布帛に皺１６を波形状に発生させて当該布帛１３の一部を絞り寄せ、（ｄ）　当該布帛の縫付ライン１７に沿ってミシン糸目１１を縫い付け、（ｅ）　そのミシン糸目１１によって波形状皺１６を抑え込む。【選択図】　　　図２
2004121687.tif 000002
【特許請求の範囲】
【請求項１】
（ａ）　布帛の一部を絞り寄せ、その絞寄箇所を線状に連続したミシン糸目によって他の部材に縫合する布帛の縫製過程において、（ｂ）　そのミシン糸目の縫付ラインに沿って収縮可能なテープを当該布帛に当てて縫合し、（ｃ）　そのテープを収縮させ、当該布帛に皺を波形状に発生させて当該布帛の一部を絞り寄せ、（ｄ）　当該布帛の縫付ラインに沿ってミシン糸目を縫い付け、（ｅ）　そのミシン糸目によって波形状皺を抑え込むことを特徴とする布帛の絞寄縫製法。
【請求項２】
（ｆ）　布帛の一部に線状に連続した第１のミシン糸目が縫い付けられており、（ｇ）　その第１のミシン糸目に沿ってテープが第２のミシン糸目によって布帛に縫合されており、（ｈ）　第１のミシン糸目の連続する一定区間に含まれる第２のミシン糸目の全長が、その一定区間における第１のミシン糸目よりも長く、（ｉ）　第１のミシン糸目の当該一定区間の長さと第２のミシン糸目の全長との差に応じて、第２ミシン糸目が波形状に曲折しており、（ｊ）その第２ミシン糸目の曲折波形に従った波形状皺が布帛に付けられており、（ｋ）　その波形状皺が第１のミシン糸目によって抑え込まれていることを特徴とする縫製品。
【発明の詳細な説明】
【０００１】
【発明の属する技術分野】
本発明は、枕、座蒲団、腰掛け、背凭れ、肘掛け、椅子、座席、ベッド、マットレス、ソファー等の立体形状を成す物品の表面を被覆して装飾する表装布帛の縫製方法に関するものである。
【０００２】
【従来の技術】
布帛を立体的に縫製する方法として、裁断された布帛を吸引可能なシート状支持体に仮接着し、その仮接着したシート支持体と共にバキュームによって吸引保持して縫製後の立体形状を確認することは公知である（例えば、特許文献１参照）。座席の表装布帛の縫製過程において、裁断された表装布帛を座席の立体形状に合わせてミシン糸目を縫合箇所に縫い付けて位置決めをし、縫製時に縫合箇所の伸縮を抑えることによって、座席の立体形状に対応した凹所を表装布帛の縫合箇所に形成することは公知である（例えば、特許文献２参照）。
【０００３】
【特許文献１】
特公平４−２７０９号公報（特許請求の範囲）
【特許文献２】
特公平７−２４７１０公報（特許請求の範囲）
【０００４】
椅子やソファー等の立体形状を成す物品の表装に使用される表装布帛の縫製過程では、椅子やソファー等の立体形状に合わせて布帛を部分的に絞り寄せ、その絞寄箇所に窪みや隆起を発生させ、その絞寄箇所に発生した波形状皺をミシン糸目によって固定セットする絞寄縫製がなされる。そのために使用する絞寄縫製専用ミシンは公知であり、布帛をオーバーフィードするための自動布帛送込装置が付設されている。絞寄縫製専用ミシンは、オーバーフィードしつつ布帛にミシン糸目を縫い付けるものであり、オーバーフィード率に応じた波形状皺を布帛に発生させ、波形状皺をミシン糸目によって固定セットするようになっている。
【０００５】
【発明が解決しようとする課題】
絞寄縫製専用ミシンには布帛をオーバーフィードするための自動布帛送込装置が付設されているが、剛軟度が３０ｍｍ以上の硬い布帛や厚みが０．４ｍｍ以上の厚手の布帛は細かく折り畳むことが困難で自動布帛送込装置に送り込み難く、その送り込むオーバーフィード率にバラツキが生じ易く、波形ピッチが揃った波形状皺は発生し難い。又、伸縮性に富む編物もオーバーフィード率にバラツキが生じ易い。織物でも、繊度５００〜４０００ｄｔｅｘの太いモノフイラメント弾性糸が織り込まれていて硬く厚い弾性織物に波形ピッチが揃った波形状皺を発生させることは難しく、又、柔軟可撓な織物でも、バイアス方向即ち経糸と緯糸に交叉する方向には伸縮自在なので、座席の腰掛けや背凭れに合わせて矩形に裁断された矩形シート地織物のコーナーを、円弧状に設定された縫付ラインに沿って絞り寄せ、ミシン糸目を縫い付けて４半球形に盛り上げて縫製することは難しい。
【０００６】
【発明の目的】
そこで本発明は、布帛の伸縮性や硬さや厚みの如何にかかわらず、布帛の所要の絞寄箇所に波形ピッチが揃って美しい波形状皺を発生させ、それをミシン糸目によって固定セットして表装布帛を立体的に美しく縫製すること、特に、座席の腰掛けや背凭れに合わせて矩形に裁断された矩形シート地織物のコーナーを、円弧状に設定された縫付ラインに沿って絞り寄せ、ミシン糸目を縫い付けて４半球形に盛り上げて綺麗に縫製することを目的とする。
【０００７】
【課題を解決するための手段】
本発明に係る絞寄縫製法は、（ａ）　布帛１３の一部を絞り寄せ、その絞寄箇所１５を線状に連続したミシン糸目１１によって他の部材に縫合する布帛の縫製過程において、（ｂ）　そのミシン糸目１１の縫付ライン１７に沿って収縮可能なテープ１４を当該布帛に当てて縫合し、（ｃ）　そのテープ１４を収縮させ、当該布帛に皺１６を波形状に発生させて当該布帛１３の一部を絞り寄せ、（ｄ）当該布帛の縫付ライン１７に沿ってミシン糸目１１を縫い付け、（ｅ）　そのミシン糸目１１によって波形状皺１６を抑え込むことを特徴とする。
【０００８】
本発明に係る縫製品は、（ｆ）　布帛１３の一部に線状に連続した第１のミシン糸目１１が縫い付けられており、（ｇ）　その第１のミシン糸目１１に沿ってテープ１４が第２のミシン糸目１２によって布帛１３に縫合されており、（ｈ）第１のミシン糸目１１の連続する一定区間に含まれる第２のミシン糸目１２の全長が、その一定区間における第１のミシン糸目１１よりも長く、（ｉ）　第１のミシン糸目１１の当該一定区間の長さと第２のミシン糸目１２の全長との差に応じて、第２ミシン糸目１２が波形状に曲折しており、（ｊ）　その第２ミシン糸目１２の曲折波形に従った波形状皺１６が布帛１３に付けられており、（ｋ）その波形状皺１６が第１のミシン糸目１１によって抑え込まれていることを特徴とする。
【０００９】
【発明の実施の形態】
収縮可能なテープ１４には、ビニロンその他の水収縮性繊維や水収縮性フイルムに成る水収縮性テープ、テビロンその他の熱収縮性繊維や熱収縮性フイルムに成る熱収縮性テープ、スパンデックスその他の弾性繊維やゴムその他の弾性樹脂に成る弾性テープ、又は、長さ方向に絞込糸１８が、その一端が係止されており、他端が抜糸可能に長く突出している絞り込みテープが使用される。
【００１０】
水収縮性テープ１４では、縫付ライン１７に沿って布帛１３に縫合した後加湿して収縮させる。熱収縮性テープ１４では、縫付ライン１７に沿って布帛１３に縫合した後加熱して収縮させる。弾性テープ１４では、それを所要の長さに引っ張り、その伸長された状態で布帛１３に縫合する。絞りテープ１４では、それを布帛１３に縫合したのち絞込糸１８を引っ張って波形状皺１６を発生させる（図３）。織物をテープ１４に使用する場合は、その長さ方向に連続する一部の経糸または緯糸を絞込糸１８とし、その一端に結び目を付けて抜き取られないようにテープ１４に係止し、他端（１８）をテープ１４にから摘み出し、それ（他端１８）を引っ張って波形状皺１６を発生させることも出来る。
【００１１】
特に、座席の腰掛けや背凭れに合わせて矩形に裁断された矩形シート地織物１３のコーナーを（図１）、円弧状に設定された縫付ライン１７に沿って絞り寄せ、ミシン糸目１１を縫い付けて４半球形に盛り上げて縫製する場合のように（図２）、縫付ライン１７が円弧状に設定されているときは、その円弧状縫付ライン１７に沿って布帛１３に当てたテープ１４が縫合時に位置ズレを起こさないように、縫合前に接着剤や粘着剤によって布帛１３に仮接着しておくとよい。そのためには、テープ１４の裏面に接着剤や粘着剤を塗着・積層しておくとよい。その接着剤や粘着剤には熱融着性樹脂を使用するとよい。
【００１２】
テープ１４が収縮して生じた波形状皺１６は、布帛１３が熱セット可能な熱可塑性繊維に成るものであれば、それを乾熱処理して熱セットすることが出来、又、布帛１３が非熱可塑性繊維に成るものでは、樹脂溶液を付与してセットすることも出来る。波形状皺１６の付けられた布帛１３は他の部材と縫合して所要の縫製品に仕上げられるが、その縫合する他の部材は、天然皮革や合成皮革のように織物や編物や不織布等の布帛以外のものであってもよく、又、その波形状皺１６の付けられた布帛１３の他の部分であってもよい。波形状皺１６は、ミシン糸目１１によって布帛１３に抑え込まれて固定セットされるが、そのミシン糸目１１は、他の部材と縫合するためのミシン糸目であってもよい。波形状皺１６を発生させるために適用されたテープ１４は、波形状皺１６をミシン糸目１１によって固定セットした後、布帛１３から裁断除去することが出来る。即ち、テープ１４は、布帛１３を立体的に絞寄縫製する手段であり、仕上がった縫製品に取り付けられたまま残しておく必要はない。
【００１３】
【発明の効果】
本発明によると、布帛１３を立体的に絞寄縫製するための波形状皺１６を、縫製専用ミシンの自動布帛送込装置によってではなく、縫製前に取り付けたテープ１４を収縮させて発生させるので、布帛の伸縮性や硬さや厚みの如何にかかわらず、その波形ピッチが揃って美しく、剛軟度が３０ｍｍ以上の硬い布帛や厚みが１ｍｍ以上の厚手の布帛でも、又、繊度５００〜４０００ｄｔｅｘの太いモノフイラメント弾性糸が織り込まれていて伸縮自在な矩形シート地弾性織物１３の経糸の連続方向Ｗと緯糸の連続方向Ｃが交叉しているコーナーでも、円弧状に設定された縫付ライン１７に沿って波形ピッチを揃えて絞り寄せ、４半球形に盛り上げて縫製することが容易になり、椅子やソファー等の立体形状に合わせた立体的縫製品を効率的に得ることが出来る。
【図面の簡単な説明】
【図１】本発明に係る縫製過程における布帛の要部斜視図である。
【図２】本発明に係る縫製過程における布帛の要部斜視図である。
【図３】本発明に係る縫製過程における布帛の要部平面図である。
【符号の説明】
１１　第１のミシン糸目
１２　第２のミシン糸目
１３　布帛（弾性織物）
１４　テープ
１５　絞寄箇所
１６　波形状皺
１７　縫付ライン
１８　絞込糸
【図１】
2004121687.tif 000003
【図２】
2004121687.tif 000004
【図３】
2004121687.tif 000005